(57)【要約】      （修正有）【課題】施工時等において、太陽電池パネルの損傷を確実に防止する太陽電池モジュールを提供する。【解決手段】方形状の太陽電池パネル１及びその周囲に装着された枠材１１，１２からなる太陽電池モジュール１０と、太陽電池パネル１の裏面を覆って貼着されたサポートカバー７とからなり、サポートカバー７が外方に向かって複数の凸部７ａを有している。このため、太陽電池モジュール１０の施工時等において、作業者の不注意等によって、太陽電池パネル１の裏面側に工具等が接触したとしても、サポートカバー７が太陽電池パネル１を保護しているため、その損傷を確実に防止することができる。【選択図】図２
0003187715.tif 000002
【実用新案登録請求の範囲】
【請求項１】
方形状の太陽電池パネル及びその周囲に装着された枠材からなる太陽電池モジュールと、太陽電池パネルのバックシートを覆って貼着されたサポートカバーとからなり、前記サポートカバーが外方に向かって複数の凸部またはフィンを有することを特徴とする太陽電池モジュール。
【考案の詳細な説明】
【技術分野】
【０００１】
この考案は、太陽電池モジュールに関するものである。
【背景技術】
【０００２】
近年、再生可能エネルギーとして太陽光発電が広く利用されるようになっており、太陽光発電所としての太陽電池モジュールが、住宅の屋根を始めとして様々な場所に設置されている。
【０００３】
この太陽電池モジュール１０は、図４に示すように、矩形状に形成された太陽電池パネル１の周縁部にアルミ押出成形品からなる縦枠材１１及び横枠材１２を嵌め込み、縦枠材１１及び横枠材１２を互いにねじ止めして構成されている。一方、太陽電池パネル１は、図５に示すように、受光面側から順に強化ガラス板２、透明樹脂からなる充填材３、多数個の太陽電池セル４ａをインターコネクタ５を介して直列又は並列に接続してなる太陽電池セル列４、透明樹脂からなる充填材３、バックシート（耐侯性フィルム）６を積層して形成され、太陽電池パネル１の裏面側には、出力ケーブルを接続した端子ボックス（図示せず）が付設されている（例えば、特許文献１参照）。
【先行技術文献】
【特許文献】
【０００４】
【特許文献１】特開２００３−６４８３５号公報
【考案の概要】
【考案が解決しようとする課題】
【０００５】
ところで、このような太陽電池モジュールを建物の屋根等に設置するに際して、表面側ほどには裏面側に注意が払われることがないため、作業者の不注意等により、工具や取付ボルト等が太陽電池パネルの裏面に接触することがある。この場合、前述したように、太陽電池パネルの表面側は強化ガラス板によって保護されているのに対し、裏面側はバックシートと呼ばれるフィルムが積層されているにすぎず、バックシートに硬度の高いもの、あるいは、鋭利なものが接触すると、バックシートには目視では確認できないようなピンホールが形成されるものとなる。このようなピンホールがバックシートに形成された場合、ピンホールを通して太陽電池パネルに湿気が浸入して太陽電池セルの電極を破損させ、いわゆるホットスポットの原因となる可能性がある。
【０００６】
なお、バックシートの損傷は、太陽電池モジュールの搬送途中や、梱包箱からの出し入れの際にも発生するおそれがある。
【０００７】
本考案は、このような問題点に鑑みてなされたもので、太陽電池モジュールの施工時等において、太陽電池パネルの損傷を確実に防止することのできる太陽電池モジュールを提供するものである。
【課題を解決するための手段】
【０００８】
本考案は、方形状の太陽電池パネル及びその周囲に装着された枠材からなる太陽電池モジュールと、太陽電池パネルのバックシートを覆って貼着されたサポートカバーとからなり、前記サポートカバーが外方に向かって複数の凸部またはフィンを有することを特徴とする。
【０００９】
本考案によれば、太陽電池モジュールの施工時等において、作業者の不注意等によって太陽電池パネルの裏面側に工具等が接触したとしても、サポートカバーが太陽電池パネルのバックシートを保護していることから、バックシートの損傷、延いては、太陽電池パネルの損傷を確実に防止することができる。また、太陽熱を受けて太陽電池パネルが加熱された場合、その熱の一部はサポートカバーに伝熱されるとともに、複数の凸部やフィンを通して放熱され、枠材と協働して表面と裏面との温度差の拡大を可及的に抑制することができる。
【００１０】
この場合、サポートカバーとしては、耐侯性や熱伝導性、軽量性、コスト等を考量してアルミを好適に採用することができる。
【考案の効果】
【００１１】
本考案によれば、太陽電池モジュールの施工時等において、太陽電池パネルの損傷を確実に防止することができる。
【図面の簡単な説明】
【００１２】
【図１】本考案の太陽電池モジュールの一実施形態を破断して示す斜視図である。
【図２】図１の太陽電池モジュールの分解斜視図である。
【図３】サポートカバーの変形例を示す斜視図である。
【図４】太陽電池モジュールを示す平面図である。
【図５】太陽電池パネルの分解斜視図である。
【考案を実施するための形態】
【００１３】
以下、本考案の実施の形態を図面に基づいて説明する。
【００１４】
図１及び図２には、本考案の太陽電池モジュール１０の一実施形態が示されている。
【００１５】
この太陽電池モジュール１０は、前述したように、太陽電池パネル１及びその周縁部に嵌め込まれた縦枠材１１及び横枠材１２を互いに固定して構成されている。
【００１６】
ここで、太陽電池パネル１の基本的な構造は、前述した従来の太陽電池パネル１と同一であり、同一の部材には同一の符号を付して詳細な説明を省略し、相違する点について説明する。
【００１７】
太陽電池パネル１の裏面には、バックシート６を覆ってサポートカバー７が接着剤を介して貼着されている。このサポートカバー７は、厚みが０．５〜２．０ｍｍのアルマイト処理されたアルミ薄板材をプレス加工して形成され、外方に向けて複数個の断面方形状の凸部７ａを有している。
【００１８】
この場合、サポートカバー７は、必ずしもバックシート６の全面を覆って貼着する必要はなく、作業者が接触する可能性の高い位置、例えば、端子ボックスの周囲を覆うように貼着してもよい。
【００１９】
このように、太陽電池パネル１の裏面にバックシート６を覆ってサポートカバー７を貼着したことにより、太陽電池モジュール１０の施工に際して、工具や取付ボルト等が太陽電池パネル１の裏面に接触することはなく、太陽電池パネル１の損傷を確実に防止することができる。
【００２０】
また、太陽電池モジュール１０の設置後において、太陽熱を受けて太陽電池パネルが加熱された場合、その熱はサポートカバー７に伝導され、凸部７ａを経て放熱される。したがって、太陽電池パネル１の表面及び裏面間の温度差の拡大を枠材１１，１２と協働して可及的に抑制することができる。
【００２１】
なお、前述した実施形態においては、サポートカバー７の凸部７ａとして、断面方形状のものを例示したが、大気との接触面積を増加すればよく、断面三角形状や半円形状など任意の形状を選択することができる。この場合、図３に示すように、板材に多数のフィン７ｂを設けたサポートカバー７を利用してもよい。
【００２２】
また、工場での太陽電池モジュール１０の製造過程において、最終工程でサポートカバー７を貼着すれば、搬送過程や梱包箱からの取り出し時においても、太陽電池パネル１の損傷を防止することができる。
【符号の説明】
【００２３】
１  太陽電池パネル
６  バックシート
７  サポートカバー
７ａ  凸部
７ｂ  フィン
１０  太陽電池モジュール
１１，１２  枠材
【図１】
0003187715.tif 000003
【図２】
0003187715.tif 000004
【図３】
0003187715.tif 000005
【図４】
0003187715.tif 000006
【図５】
0003187715.tif 000007